(57)【要約】【課題】戸板がスムーズに動くとともに、不所望に揺動しない引戸を提供する【解決手段】吊下部材２１と下部ガイド溝２２とを有する戸板１４が、基準面Ｋに対して平行な走行面Ｓにおいて戸板１４を走行させる走行部１８と、基準面Ｋと走行面Ｓとの間を行き来するように戸板１４を平行移動させる平行移動部１９とを有する上部ガイドレール１２から吊り下げられて走行する際、戸板１４の動きに追従して回動する回動アーム３２と、回動アーム３２の端部に突設された、下部ガイド溝２２に受け入れられるガイドピン３４とを備える下部ガイド部材１６にガイドされる。これにより、戸板１４と吊下部材２１とを連結する部材が戸板１４の重量により曲がらず、戸板１４がスムーズに動くとともに、戸板１４が不所望に揺動しない。【選択図】図１
2007255010.tif 000002
【特許請求の範囲】
【請求項１】
天井面に取り付けられた上部ガイドレールと、床面に取り付けられた下部ガイド部材と、前記下部ガイド部材にガイドされながら、前記上部ガイドレールに沿って走行する戸板とを備える引戸であって、
前記戸板は、板状の戸板本体と、前記戸板本体の上端部に取り付けられ、前記上部ガイドレールに走行自在に吊下げられた吊下部材と、前記戸板本体の下端部に設けられ、前記下部ガイド部材を相対的に走行自在に受け入れた下部ガイド溝とを有しており、
前記上部ガイドレールは、所定の基準面に対して平行な走行面において前記戸板を走行させる走行部と、前記基準面と前記走行面との間を行き来するように前記戸板を平行移動させる平行移動部とを有しており、
前記下部ガイド部材は、前記床面に固定された固定部と、前記固定部に回動自在に取り付けられた回動アームと、前記回動アームに設けられ、前記下部ガイド溝に受け入れられたガイドピンとを有しており、前記戸板の平行移動に追従して前記回動アームが回動される引戸。
【請求項２】
前記戸板を２枚備えており、
前記回動アームは、その中央部において前記固定部に対して回動自在に取り付けられているとともに、その両端部に前記ガイドピンが設けられていることを特徴とする請求項１に記載の引戸。
【請求項３】
前記下部ガイド部材は、回動の始点および終点に位置する前記回動アームが不所望に回動することを防止する回動防止部材を備えることを特徴とする請求項１または２に記載した引戸。
【発明の詳細な説明】
【技術分野】
【０００１】
本発明は、所定の基準面と当該基準面に対して平行な走行面との間を行き来するように平行移動する戸板を備える引戸に関する。
【背景技術】
【０００２】
所定の基準面と当該基準面に対して平行な走行面との間を行き来するように平行移動する戸板、およびこのような戸板を複数組み合わせて戸板が面一になるように閉じることのできる引戸が従来から知られている（例えば、特許文献１など）。しかし、特許文献１に係る引戸には、戸板を案内するために天井面および床面に取り付けられたガイドレールによって、引戸の間口の有効高さが低くなるという問題があるとともに、室内をバリアフリーにすることができないという問題があった。そこで、これらの問題を解消した引戸が開発されている（例えば、特許文献２）。
【０００３】
特許文献２に係る引戸１は、図１３に示すように、天井面Ｘに取り付けられた略「コ」字状断面を有する直線状のレール２と、レール２の内側を走行するランナー３と、ランナー３に吊り下げられた戸板４とで大略構成されており、ランナー３と戸板４とは、回動リンク５を介して連結されている。したがって、回動リンク５が回動することにより、戸板４は所定の基準面と当該基準面に対して平行な走行面との間を行き来するように平行移動することができる。
【０００４】
しかし、戸板４は、水平方向に延びる回動リンク５を介してランナー３に「片持ち」状態で吊られており、戸板４の重量が曲げモーメントとして回動リンク５にかかる。このため、戸板４が重い場合、回動リンク５が曲がるなどして戸板４のスムーズな動きが阻害され、引戸１の開閉ができなくなるおそれがあった。また、戸板４の下部には何ら戸板４の動きを規制する部材が存在しないので、戸板４が上端を支点として不所望に揺動するという問題があった。
【特許文献１】特開平８−１２１０１２号公報
【特許文献２】特開２００４−１９３３６号公報
【発明の開示】
【発明が解決しようとする課題】
【０００５】
本発明は、このような従来技術の問題点に鑑みて開発されたものである。それゆえに本発明の主たる課題は、室内のバリアフリーを維持しつつ、不所望に揺動することがなく、重くてもスムーズに動く戸板を備える引戸を提供することにある。
【課題を解決するための手段】
【０００６】
請求項１に記載した発明は、「天井面Ａに取り付けられた上部ガイドレール１２と、床面Ｂに取り付けられた下部ガイド部材１６と、下部ガイド部材１６にガイドされながら、上部ガイドレール１２に沿って走行する戸板１４とを備える引戸１０であって、戸板１４は、板状の戸板本体２０と、戸板本体２０の上端部に取り付けられ、上部ガイドレール１２に走行自在に吊下げられた吊下部材２１と、戸板本体２０の下端部に設けられ、下部ガイド部材１６を相対的に走行自在に受け入れた下部ガイド溝２２とを有しており、上部ガイドレール１２は、所定の基準面Ｋに対して平行な走行面Ｓにおいて戸板１４を走行させる走行部１８と、基準面Ｋと走行面Ｓとの間を行き来するように戸板１４を平行移動させる平行移動部１９とを有しており、下部ガイド部材１６は、床面Ｂに固定された固定部２７と、固定部２７に回動自在に取り付けられた回動アーム３２と、回動アーム３２に設けられ、下部ガイド溝２２に受け入れられたガイドピン３４とを有しており、戸板１４の平行移動に追従して回動アーム３２が回動される引戸１０。」である。
【０００７】
本発明によれば、上部ガイドレール１２が戸板１４を平行移動させる平行移動部１９を有することにより、引戸１０は、特許文献２に係る引戸１のように回動リンクがなくても戸板１４を平行移動することができるので、戸板１４を上部ガイドレール１２から鉛直下方向に吊り下げることができる。このとき、戸板１４の重量は、上部ガイドレール１２を鉛直下方向に引っ張る応力としてのみ作用する。また、戸板１４の下端面に設けられた下部ガイド溝２２が床面Ｂに取り付けられた下部ガイド部材１６のガイドピン３４を走行自在に受け入れ、回動アーム３２が戸板１４の動きに追従して回動することにより、戸板１４の下端部の動きが常に下部ガイド部材１６により規制される。さらに、長尺となる下部ガイド溝２２を戸板１４の下端面に設けているので、下部ガイド部材１６を長尺部材にする必要がない。
【０００８】
請求項２に記載した発明は、請求項１に記載した引戸１０において「戸板１４を２枚備えており、回動アーム３２は、その中央部において固定部２７に対して回動自在に取り付けられているとともに、その両端部にガイドピン３４が設けられていること」を特徴とする。
【０００９】
本発明によれば、２枚の戸板１４は回動アーム３２を介して連結されているので、一方の戸板１４が移動することによって、一方の下部ガイド溝２２に走行自在に収容される一方のガイドピン３４が移動し、回動アーム３２が回動して他方のガイドピン３４も移動する。これにより、他方のガイドピン３４を収容する他方の下部ガイド溝２２を有する他方の戸板１４も移動する。
【００１０】
請求項３に記載された発明は、請求項１または２に記載した引戸１０において「下部ガイド部材１６は、回動の始点および終点に位置する回動アーム３２が不所望に回動することを防止する回動防止部材３８を備えること」を特徴とする。
【００１１】
本発明によれば、固定部２７に対して回動する始点および終点に位置する回動アーム３２が不所望に回動することがない。
【発明の効果】
【００１２】
本発明によれば、戸板の重量が上部ガイドレールを鉛直下方向に引っ張る応力としてのみ作用するので、戸板と吊車とを連結する部材が戸板の重量による曲げモーメントにより曲げられることがなく、戸板のスムーズな動きが阻害されることがない。また、下部ガイド部材により戸板の下端部の動きが常に規制されるので、戸板が吊下部材を支点にして不所望に揺動することがない。さらに、下部ガイド部材を長尺にする必要がないことから、下部ガイド部材を小型化することができるので、バリアフリーの障害とならずに下部ガイド部材を床面に取り付けることができる。
【００１３】
また、請求項２に係る発明によれば、一方の戸板を移動すると、他方の戸板も移動するので、戸板の板厚が厚い場合であっても、戸板が平行移動する基準面と走行面との距離を最小限にして、引戸を設置するために必要なスペースを小さくすることができる。
【００１４】
さらに、請求項３に係る発明によれば、回動の始点および終点に位置する回動アームが不所望に回動しないので、戸板が不所望に平行移動することがない。
【発明を実施するための最良の形態】
【００１５】
以下、本発明を図面に従って説明する。図１（ａ）は、本発明に係る引戸１０を示す正面図であり、図２（ａ）は、本発明に係る引戸１０を示す側面図である。また、図１（ａ）および図２（ａ）の一部を拡大して、図１（ｂ）および図２（ｂ）に示している。この引戸１０は、図１および図２に示すように、建屋の天井面Ａと床面Ｂとの間において、枠材Ｃによって構成された開口Ｄを開閉するものであり、天井面Ａに取り付けられた上部ガイドレール１２と、上部ガイドレール１２に沿って走行する戸板１４と、床面Ｂに取り付けられ、戸板１４をガイドする下部ガイド部材１６とで構成されている。
【００１６】
上部ガイドレール１２は、略「コ」字状の断面を有する長尺部材であり、天井面Ａに取り付けられている。そして、図３に示すように、「コ」字状の断面の内側を戸板１４に取り付けられた後述する吊車２１が走行できるように、上部ガイドレール１２は、「コ」字状の断面の開口部を下向きにして、上枠１７を介して天井面Ａに取り付けられている。また、上部ガイドレール１２は、図４に示すように、所定の基準面Ｋに対して平行な走行面Ｓにおいて戸板１４を走行させる直線状の走行部１８と、基準面Ｋと走行面Ｓとの間を行き来するように戸板１４を平行移動させる湾曲部である、２カ所の平行移動部１９とを有している。なお、平行移動部１９は、走行部１８の略中央部と、走行部１８の一方端部とに設けられている。そして、本実施例では、２本の上部ガイドレール１２を組み合わせていることにより、引戸１０を閉じた状態で２枚の戸板１４が基準面Ｋに位置して面一となり、引戸１０を開くときには２枚の戸板１４が互いに干渉しないように走行面Ｓに戸板１４を平行移動することができる。また、上部ガイドレール１２の側面には、上部ガイドレール１２を目隠しするための化粧幕板Ｅが取り付けられている（図２（ａ）参照）。
【００１７】
戸板１４は、引戸１０の開口Ｄを仕切る戸板本体２０と、戸板本体２０の上端面に取り付けられた、「吊下部材」としての吊車２１と、戸板本体２０の下端面に設けられた下部ガイド溝２２とを備えている。なお、本実施例に係る引戸１０は、第１の戸板１４ａと第２の戸板１４ｂとを備えている。
【００１８】
吊車２１は、上部ガイドレール１２から鉛直下方向に戸板１４を吊り下げるための部材であり、図３に示すように、上部ガイドレール１２の内側を走行する車輪２３を２つ備えているとともに、戸板１４に対して、軸２４を介して回動可能に取り付けられている。なお、本実施例では、１枚の戸板１４に対して２つの吊車２１が戸板１４の上端面の両端に取り付けられている。
【００１９】
下部ガイド溝２２は、図２（ｂ）に示すように、戸板１４の下端面に刻設された凹溝２５に、略「コ」字状の断面を有する長尺の下部ガイドレール２６を嵌め込んで形成されている。なお、下部ガイド溝２２の一方端には、戸板１４が基準面Ｋにあるときに後述するガイドピン３４と当接する当接部Ｆが形成されている（図１（ｂ）参照）。また、戸板１４の下端面に設けた溝をそのまま下部ガイド溝２２として用いてもよい。
【００２０】
下部ガイド部材１６は、図５に示すように、固定部２７と、回動アーム軸２８と、２つのストッパー３０と、２本の回動アーム３２と、２つのガイドピン３４とで構成されており、床面Ｂに取り付けて使用される。
【００２１】
固定部２７は、床面Ｂに固定された板材であり、床面Ｂに固定するためのネジ（図示せず）を挿通するための取付孔３５が２カ所設けられている。
【００２２】
回動アーム軸２８は、固定部２７の中央部から上方に延びる丸棒材である。そして、回動アーム軸２８の外周には、２本の回動アーム３２と２枚の座金３６とが交互に嵌め込まれている。
【００２３】
ストッパー３０は、板材を「Ｌ」字状に折り曲げて形成された部材であり、本実施例では、２つのストッパー３０が、固定部２７の隅部に取り付けられている。これにより、回動アーム３２はストッパー３０に当接して動きが規制され、回動アーム軸２８を中心に９０°の範囲で回動する。なお、回動アーム３２の回動角度は、９０°に限定されるものではなく、下部ガイド溝２２と下部ガイド部材１６との位置関係に応じて適宜設定することができる。また、１つのストッパー３０には、ストッパー３０と同じ肉厚の丸形磁石である回動防止部材３８が３つ取り付けられている。
【００２４】
回動アーム３２は、両端部が円弧状に加工された板材であり、一端部には回動アーム軸挿通孔（図示せず）が設けられており、他端部にはガイドピン取付孔（図示せず）が設けられている。そして、回動アーム軸挿通孔に回動アーム軸２８を挿通することにより、回動アーム３２が回動アーム軸２８に対して回動可能に取り付けられているとともに、ガイドピン取付孔にガイドピン３４が取り付けられている。本実施例では、２つの回動アーム３２の他端部を、固定部２７から同じ高さにするため、一方の回動アーム３２には折り曲げ部３９が設けられている。
【００２５】
ガイドピン３４は、回動アーム３２の他端部に取り付けられた、下部ガイド溝２２に走行自在に受け入れられる部材であり、ガイドローラ軸４０と、ガイドローラ４２とで構成されている。
【００２６】
ガイドローラ軸４０は、ガイドローラ４２を回動アーム３２に対して回転自在に取り付けるため、回動アーム３２のガイドピン取付孔に挿通された丸棒材である。
【００２７】
ガイドローラ４２は、回動アーム３２に対して回転自在に取り付けられた円柱状の部材であり、下部ガイド溝２２に収容されている。
【００２８】
以上のように構成されていることで、下部ガイド部材１６は、図６に示すように、回動アーム３２が横方向に一文字の状態（ａ）、一方の回動アーム３２を９０°回動させた状態（ｂ）、および両方の回動アーム３２を（ａ）に示す状態から９０°回動させて、回動アーム３２が縦方向に一文字の状態（ｃ）などに変形することができる。
【００２９】
本実施例に係る引戸１０の使用方法について、図７に基づいて説明する。
【００３０】
図７の（ａ）は、引戸１０を閉じた状態を示している。このとき、下部ガイド部材１６の２本の回動アーム３２は図中横方向に一文字の状態になっており、２枚の戸板１４ａおよび１４ｂは基準面Ｋに位置し、互いに面一の状態になっている。（以後、このときの戸板１４の位置を「閉位置」と記載する。）この状態から、第１の戸板１４ａ（図中右側の戸板）を図の上方向に向かって押すと、第１の戸板１４ａは上部ガイドレール１２にガイドされ上部ガイドレール１２の走行部１８に移動する。（以後、このときの第１の戸板１４ａの位置を「走行位置」と記載する。）このとき、ガイドピン３４が下部ガイド溝２２の図中左端部に係合していることにより、第１の戸板１４ａの移動とともにガイドピン３４のガイドローラ４２が下部ガイド溝２２に押圧される。その結果、回動アーム３２が回動アーム軸２８を支点として回動する。回動アーム３２が図７の（ａ）の位置から９０°回動すると（ｂ）に示す状態となり、第１の戸板１４ａは、横移動しても第２の戸板１４ｂと干渉しない「走行位置」に移動している。この状態になると、回動アーム３２はストッパー３０によって、９０°以上回動することできないようになっているので、第１の戸板１４ａが不所望に「走行位置」からずれることがない。
【００３１】
続いて、第１の戸板１４ａを上部ガイドレール１２の「走行位置」に沿って図中左方向にスライドさせていくと、第１の戸板１４ａの下部ガイド溝２２がガイドピン３４に沿って移動し、図７の（ｃ）に示す状態になる。この状態が、本実施例に係る引戸１０が完全に開いた状態である。したがって、下部ガイド溝２２が下部ガイド部材１６のガイドピン３４によって第１の戸板１４ａ「閉位置」から「走行位置」に移動する間、および「走行位置」を横方向に移動する間において常にガイドされるので、第１の戸板１４ａは吊車２１を支点として揺動することがない。また、開口Ｄの床面Ｂに通行の障害となるものがないので、バリアフリーを実現できる。
【００３２】
なお、本実施例では、２本の回動アーム３２を備えているので、上述した例とは逆に、第２の戸板１４ｂを移動することで、図７の（ｄ）に示すように、図中左側に開口Ｄを有する状態を形成することもできる。
【００３３】
また、本実施例では、回動防止部材３８として、下部ガイド部材１６のストッパー３０に磁石が取り付けられているので、回動アーム３２がストッパー３０に当接しているとき、回動アーム３２は回動防止部材３８によって吸い付けられている。このため、ある程度の力が加えられるまでストッパー３０と回動アーム３２とは離間することがなく、戸板１４は風などによって煽られても不所望に動くことがない。
【００３４】
また、回動アーム３２の数も前述の実施例に限られず、図８に示すように、回動アーム３２の数を１本とし、回動アーム３２の両端部にガイドピン３４を設けるとともに、回動アーム３２の中央部に設けた回動アーム軸挿通孔（図示せず）に回動アーム軸２８を挿通して、回動アーム３２を固定部２７に対して回動可能に取り付けてもよい。このような回動アーム３２を有する下部ガイド部材１６を用いることで、図９に示すように、引戸１０が閉じた状態（ａ）で、一方のガイドピン３４ａが係合する下部ガイド溝２２を有する一方の戸板１４ａを「閉位置」から「走行位置」に移動することにより、他方のガイドピン３４ｂが回動して他方のガイドピン３４ｂのガイドローラ４２ｂが対応する下部ガイド溝２２の側壁を押圧し、他方の戸板１４ｂが「閉位置」から「走行位置」に移動する（ｂ）。したがって、「戸板１４の板厚が厚く、回転アーム軸２８からガイドピン３４までの距離が短い」場合のように、一方の戸板１４ａのみが「閉位置」から「走行位置」に移動するだけでは戸板１４どうしが干渉するような場合において、一方の戸板１４ａが「閉位置」から「走行位置」に動くと、他方の戸板１４ｂも「閉位置」から「走行位置」に動くので、戸板１４どうしの干渉を避けることができる（ｃ）。
【００３５】
また、本実施例では、吊下部材２１として２つの車輪２３を有する吊車２１を用いているが、吊車２１に限定されるものではなく、戸板本体２０を吊り下げるとともに、上部ガイドレール１２に移動自在にガイドされるものであれば、これに代えて、例えば、図１０に示すように、１つの車輪２３で構成されるようにしてもよいし、吊車２１ではなく鈎状の部材などで戸板１４を吊り下げるようにしてもよい。そして、上部ガイドレール１２の形状も「コ」字状のものに限定されるものではなく、吊下部材２１と協働して戸板１４をガイドするものであればよい。例えば、前述した１つの車輪２３で構成された吊車２１に対応する上部ガイドレール１２の形状としては、図１０に示すようなものが考えられる。
【００３６】
また、下部ガイド溝２２の形状も本実施例の形状に限られず、下部ガイド部材１６と協働して戸板１４の揺動を防ぐことができるものであればよい。また、戸板１４の枚数も２枚に限られず、１枚であってもよいし、３枚以上であってもよい。
【００３７】
また、それぞれの部材の材質についても、回動防止部材３８として磁石を用いる場合に回動アーム３２の材料が磁性を有する必要がある以外は、それぞれに必要な強度を満足する限り、ステンレスやアルミニウムなどの金属、ＡＢＳ樹脂などの合成樹脂、およびＦＲＰなどを使用することができる。
【００３８】
さらに、本実施例では、磁石からなる回動防止部材３８が使用されているが、これに代えて、図１１および１２に示すような機構を用いてもよい。
【００３９】
図１１には、回動アーム３２の下面に略半球状の凸部４４を設けるとともに、固定部２７の表面であって回動アーム３２の始点および終点における、凸部４４に対応する位置に略半球状の凹部４６を設けた下部ガイド部材１６を示している。
【００４０】
このような下部ガイド部材１６によれば、回動アーム３２が始点および終点にあるとき、凹部４６に凸部４４が嵌め込まれた状態にあるので、回動アーム３２が不所望に回動することがない。
【００４１】
また、図１２には、ストッパー３０に凸部４８を２カ所設けるとともに、回動アーム３２における凸部４８に対応する位置に凹部５０を２カ所設けた下部ガイド部材１６を示している。
【００４２】
このような下部ガイド部材１６によれば、回動アーム３２が始点および終点にあるとき、凹部５０に凸部４８が嵌め込まれた状態にあるので、回動アーム３２が不所望に回動することがない。
【図面の簡単な説明】
【００４３】
【図１】本件発明にかかる引戸を示す正面図である。
【図２】本件発明にかかる引戸を示す側面図である。
【図３】本件発明にかかる戸板の吊車と上部ガイドレールとの関係を示す斜視図である。
【図４】本件発明にかかる上部ガイドレール示す平面図である。
【図５】本件発明にかかる下部ガイド部材を示す斜視図である。
【図６】本件発明にかかる下部ガイド部材の回動アームを動かしたときの状態を示す図である。
【図７】本件発明にかかる引戸の使用状態を示す図である。
【図８】本件発明に係る下部ガイド部材の変形例を示す図である。
【図９】変形例に係る下部ガイド部材を用いた引戸の使用状態を示す図である。
【図１０】本件発明に係る吊車の変形例を示す斜視図である。
【図１１】本件発明に係る回動防止部材の変形例を示す図である。
【図１２】本件発明に係る回動防止部材に関する別の変形例を示す図である。
【図１３】従来技術を示す図である。
【符号の説明】
【００４４】
１０…引戸
１２…上部ガイドレール
１４…戸板
１６…下部ガイド部材
１７…上枠
１８…走行部
１９…平行移動部
２０…戸板本体
２１…吊車（吊下部材）
２２…下部ガイド溝
２３…車輪
２４…軸
２５…凹溝
２６…下部ガイドレール
２７…固定部
２８…回動アーム軸
３０…ストッパー
３２…回動アーム
３４…ガイドピン
３５…取付孔
３６…座金
３８…回動防止部材
３９…折り曲げ部
４０…ガイドローラ軸
４２…ガイドローラ
４４…凸部
４６…凹部
４８…凸部
５０…凹部
【図１】
2007255010.tif 000003
【図２】
2007255010.tif 000004
【図３】
2007255010.tif 000005
【図４】
2007255010.tif 000006
【図５】
2007255010.tif 000007
【図６】
2007255010.tif 000008
【図７】
2007255010.tif 000009
【図８】
2007255010.tif 000010
【図９】
2007255010.tif 000011
【図１０】
2007255010.tif 000012
【図１１】
2007255010.tif 000013
【図１２】
2007255010.tif 000014
【図１３】
2007255010.tif 000015